(57)【要約】【課題】ウエットティッシュ群収容部内のウエットティッシュの量に拘わらず、使用にかかるウエットティッシュを確実に適温まで加温できるウエットティッシュ加温器を提供すること。【解決手段】複数のウエットティッシュを収容する変形可能なウエットティッシュ群収容部２００の形成面側２０１ａに当接して配置され、発熱部１１１と、ウエットティッシュ用貫通孔１１８と、を有するウエットティッシュ加温器本体１１０と、前記ウエットティッシュ用貫通孔を覆うために配置されるウエットティッシュ加温器蓋部１２０と、前記ウエットティッシュ群収容部を保持して、その前記取り出し用開口部の形成面側を前記ウエットティッシュ加温器本体に当接させるためのバンド部１４２と、を備え、前記ウエットティッシュ群収容部を保持する前記バンド部の長さを無段階に変更できる長さ調節手段１１０ｂを有するウエットティッシュ加温器１００。【選択図】　図１５
2004130066.tif 000002
【特許請求の範囲】
【請求項１】
一のウエットティッシュの一部を挟み込むように他のウエットティッシュが折り畳まれて配置されている複数のウエットティッシュを収容する変形可能なウエットティッシュ群収容部の取り出し用開口部の形成面側に当接して配置されるウエットティッシュ加温器であって、
ウエットティッシュを加温するための発熱部と、
前記ウエットティッシュ群収容部の取り出し用開口部に対応して形成されるウエットティッシュ用貫通孔と、を有するウエットティッシュ加温器本体と、
前記ウエットティッシュ用貫通孔を覆うために配置されるウエットティッシュ加温器蓋部と、
前記ウエットティッシュ群収容部を保持して、その前記取り出し用開口部の形成面側を前記ウエットティッシュ加温器本体に当接させるためのバンド部と、を備え
前記ウエットティッシュ群収容部を保持する前記バンド部の長さを無段階に変更できる長さ調節手段を有することを特徴とするウエットティッシュ加温器。
【請求項２】
前記長さ調節手段が前記ウエットティッシュ加温器本体の一側部に形成され、
前記ウエットティッシュ群収容部の前記取り出し用開口部の形成面である平面側の反対側に相当するウエットティッシュ群収容部の底面部を配置させるための底面保持手段を有し、
前記バンド部が帯状を成し、このバンド部の一端部が、前記ウエットティッシュ加温器本体の他側部に固定され、前記バンド部の中間部が前記底面保持手段と移動可能に接続されると共に、
前記バンド部の他端部は、前記ウエットティッシュ加温器本体の一側部である前記長さ調節手段に保持されていることを特徴とする請求項１に記載のウエットティッシュ加温器。
【請求項３】
前記バンド部が伸縮可能となるよう、弾性体を含んで形成されており、前記バンド部の弾性率が、３Ｎ（ニュートン）乃至１５Ｎの範囲に含まれることを特徴とする請求項１又は請求項２に記載のウエットティッシュ加温器。
【請求項４】
前記弾性体が、耐熱性材料を含んでいることを特徴とする請求項３に記載のウエットティッシュ加温器。
【請求項５】
前記ウエットティッシュ加温器本体の略外周には、前記底面保持手段に向かって突出して形成される本体側凸部が設けられ、
前記底面保持手段の略外周には、前記ウエットティッシュ加温器本体に向かって突出して形成される保持手段側凸部が設けられ、
前記保持手段側凸部と前記本体側凸部とは、前記ウエットティッシュ加温器本体と前記底面保持手段とを近接又は当接させたときに、相互に噛み合うように構成されると共に、
前記保持手段側凸部が、前記本体側凸部の内側に配置されて噛み合う構成と成っていることを特徴とする請求項２乃至請求項４のいずれかに記載のウエットティッシュ加温器。
【請求項６】
折り畳まれて配置されている複数のウエットティッシュを収容する変形可能なウエットティッシュ群収容部に対して配置される下面筐体部と、
この下面筐体部の前記ウエットティッシュ群収容部に対向する面は、一方向に長い長手部側と、この長手部側より短い短手部側とを有すると共に、
前記下面筐体部を加温するための発熱部と、を有するウエットティッシュ加温器本体と、
前記ウエットティッシュ群収容部を保持して、前記下面筐体部に当接させるためのバンド部とを有し、
前記短手部側の一方のウエットティッシュ加温器本体に前記バンド部の一端部側が固定され、
前記バンド部の他端部側には、前記バンド部の長さを調節できる長さ調節手段が設けられていることを特徴とするウエットティッシュ加温器。
【請求項７】
前記短手部側のウエットティッシュ加温器本体における前記バンド部の幅が前記短手部側のウエットティッシュ加温器本体の幅に対して５０％乃至１００％とされていることを特徴とする請求項６に記載のウエットティッシュ加温器。
【請求項８】
ウエットティッシュ加温器本体には、ウエットティッシュ群収容部の取り出し用開口部に対応して形成される貫通孔が形成されて取出口とされており、
前記取出口を覆うために配置されるウエットティッシュ加温器蓋部には、前記取出口内に入り込むように凸状の突起部が形成され、
前記凸状の突起部はその内部が中空になっていると共に、
前記ウエットティッシュ加温器蓋部が前記取出口を塞ぐ構成となっていることを特徴とする請求項６又は請求項７に記載のウエットティッシュ加温器。
【請求項９】
前記バンド部が帯状を成し、このバンド部の中央部には、前記ウエットティッシュ群収容部の底面側を保持する底面保持手段が移動可能に取り付けられ、
この底面保持手段の前記長手部側に対応する部分の長さが、前記ウエットティッシュ加温器本体の前記長手部側より短く形成されていると共に、
前記底面保持手段の中央部に前記ウエットティッシュ群収容部側に向かって突出する中央突出部が形成されていることを特徴とする請求項６乃至請求項８のいずれかに記載のウエットティッシュ加温器。
【請求項１０】
ウエットティッシュ加温器本体には、スイッチを取り付けるための凹部が形成されていることを特徴とする請求項６乃至請求項９のいずれかに記載のウエットティッシュ加温器。
【発明の詳細な説明】
【０００１】
【発明の属する技術分野】
本発明は、複数のウエットティッシュを収容したウエットティッシュ群収容部のウエットティッシュを加温するためのウエットティッシュ加温器に関するものである。
【０００２】
【従来の技術】
例えば、乳幼児に対してウエットティッシュを用いる場合に、ウエットティッシュが冷たいと、その冷たさのため乳幼児がウエットティッシュを嫌がり、乳幼児に対して上手にウエットティッシュを使うことが出来ない場合があった。
このため、ウエットティッシュを温めるためウエットティッシュ用ウォーマーが用いられている（例えば、特許文献１参照）。
このウエットティッシュ用ウォーマーは、加温器を有する箱体によって形成されており、ウエットティッシュを多数収容するウエットティッシュ詰替容器を、その内部に配置させ、これに対して加温器を当接させて温める構造のものである。
【０００３】
【特許文献１】
特開昭６０−８３６２５号公報（第６図）
【０００４】
【発明が解決しようとする課題】
このようなウエットティッシュ用ウォーマーは、その加温器で温められるウエットティッシュ詰替容器内の十分にウエットティッシュが収容されているときは、ウエットティッシュが適温に温められており、好適に使用できるものである。しかし、前記ウエットティッシュ詰替容器内のウエットティッシュが使用により減少すると、容器であるウエットティッシュ詰替容器と隙間等が生じる。
このため、前記加温器でウエットティッシュ詰替容器を温めても、この隙間等により、内部のウエットティッシュが十分に温まらず加温不良になるという問題があった。
さらに、箱体内にウエットティッシュ詰替容器を配置させるため、使用することのない使用順位が遅いウエットティッシュも箱体内の温度上昇に伴い、加温されてしまい、熱による影響を受けてしまうという問題もあった。
【０００５】
本発明は、以上の点に鑑み、ウエットティッシュ群収容部内のウエットティッシュの量に拘わらず、使用にかかるウエットティッシュを確実に適温まで加温できるウエットティッシュ加温器を提供することを目的とする。
【０００６】
【課題を解決するための手段】
前記目的は、請求項１の発明によれば、一のウエットティッシュの一部を挟み込むように他のウエットティッシュが折り畳まれて配置されている複数のウエットティッシュを収容する変形可能なウエットティッシュ群収容部の取り出し用開口部の形成面側に当接して配置されるウエットティッシュ加温器であって、ウエットティッシュを加温するための発熱部と、前記ウエットティッシュ群収容部の取り出し用開口部に対応して形成されるウエットティッシュ用貫通孔と、を有するウエットティッシュ加温器本体と、前記ウエットティッシュ用貫通孔を覆うために配置されるウエットティッシュ加温器蓋部と、前記ウエットティッシュ群収容部を保持して、その前記取り出し用開口部の形成面側を前記ウエットティッシュ加温器本体に当接させるためのバンド部と、を備え、前記ウエットティッシュ群収容部を保持する前記バンド部の長さを無段階に変更できる長さ調節手段を有することを特徴とするウエットティッシュ加温器により達成される。
【０００７】
請求項１の構成によれば、前記ウエットティッシュ群収容部を保持して、その前記取り出し用開口部の形成面側を前記ウエットティッシュ加温器本体に当接させるためのバンド部を有している。
したがって、前記バンドによって、前記ウエットティッシュ群収容部の取り出し用開口部の形成面を前記ウエットティッシュ加温器本体に当接させることができるので、ウエットティッシュ群収容部内のウエットティッシュを適切な温度に加温することができる。
また、箱体内にウエットティッシュ群収容部を配置することがないため、使用順位が遅いウエットティッシュが加温されることがなく、不要な熱による影響を低減することができる。
【０００８】
さらに、請求項１の構成によれば、前記ウエットティッシュ群収容部を保持する前記バンド部の長さを無段階に変更できる長さ調節手段を有する。
すなわち、前記ウエットティッシュ群収容部内のウエットティッシュが減少した場合は、前記バンド部だけでは、前記ウエットティッシュ群収容部と内部のウエットティッシュとの間の隙間を解消することができない。
そこで、前記長さ調節手段で前記バンド部の長さを変更することで、前記隙間を解消し、前記内部のウエットティッシュと前記ウエットティッシュ群収容部、そして前記ウエットティッシュ加温器本体との隙間を無くして、ウエットティッシュを適切に加温することができる。
また、この長さ調節手段は、無段階に変更することができるので、前記内部のウエットティッシュと前記ウエットティッシュ加温器本体との接触圧力を常に適切な圧力としつつ、当接させることができる。
【０００９】
好ましくは、請求項２の発明によれば、請求項１の構成において、前記長さ調節手段が前記ウエットティッシュ加温器本体の一側部に形成され、前記ウエットティッシュ群収容部の前記取り出し用開口部の形成面である平面側の反対側に相当するウエットティッシュ群収容部の底面部を配置させるための底面保持手段を有し、前記バンド部が帯状を成し、このバンド部の一端部が、前記ウエットティッシュ加温器本体の他側部に固定され、前記バンド部の中間部が前記底面保持手段と移動可能に接続されると共に、前記バンド部の他端部は、前記ウエットティッシュ加温器本体の一側部である前記長さ調節手段に保持されていることを特徴とするウエットティッシュ加温器である。
【００１０】
請求項２の構成によれば、前記バンド部が帯状を成し、このバンド部の一端部が、前記ウエットティッシュ加温器本体の他側部に固定され、前記バンド部の中間部が前記底面保持手段と移動可能に接続されると共に、前記バンド部の他端部は、前記ウエットティッシュ加温器本体の一側部である前記長さ調節手段に保持されている。
したがって、利用者が前記長さ調節手段に保持された前記バンド部の他端部を操作し、前記バンド部の前記ウエットティッシュ群収容部を保持する長さを調整すると、同時に、このバンド部の中間部と接続されている前記底面保持手段と、前記ウエットティッシュ加温器本体との相対的位置も変更できる構成となっている。
また、前記底面保持手段は、前記ウエットティッシュ群収容部の底面全体を保持するので、前記バンド部によって与えられる前記ウエットティッシュ加温器本体に対する接触圧力である当接力も、前記ウエットティッシュ群収容部の底面全体に略均等に働くことになる。
【００１１】
したがって、前記ウエットティッシュ群収容部の取り出し用開口部の形成面も略均等に、前記ウエットティッシュ加温器本体に当接され、前記ウエットティッシュ群収容部内のウエットティッシュの加温が偏ることを防止することができる。
【００１２】
また、請求項２の構成では、前記バンド部の前記一端部は、前記ウエットティッシュ加温器本体の前記他側部に固定されている。このため、前記長さ調節手段に保持されている前記バンド部の一側部を操作することで、容易に前記バンド部の前記ウエットティッシュ群収容部を保持している部分の長さを変化させることができる。
このとき、前記底面保持手段は前記バンド部との相対的位置を変化可能に接続（移動可能に接続）されているので、前記バンド部の前記長さの変化に応じて、その相対位置を変化させることができる。
したがって、前記底面保持手段は、常に前記ウエットティッシュ加温器本体の直下の位置を変えることなく、前記ウエットティッシュ群収容部を保持することができる。
【００１３】
好ましくは、請求項３の発明によれば、請求項１又は請求項２の構成において、前記バンド部が伸縮可能となるよう、弾性体を含んで形成されており、前記バンド部の弾性率が、３Ｎ（ニュートン）乃至１５Ｎの範囲に含まれることを特徴とするウエットティッシュ加温器である。
【００１４】
請求項３の構成によれば、前記バンド部が伸縮可能となるよう弾性体を含んで形成されていることで、例えばウエットティッシュ群収容部内にあるウエットティッシュの減少によって、ウエットティッシュ群収容部と、内部のウエットティッシュとの間に隙間が生じる場合でも、前記バンド部を伸長させて配置すれば、その収縮によって、この隙間を解消し、常にウエットティッシュ群収容部をウエットティッシュ加温器本体に当接させることができる。
すなわち、前記バンド部が収縮する際、前記ウエットティッシュ群収容部を変形させながら、内部のウエットティッシュを前記ウエットティッシュ加温器本体に当接させることになる。
【００１５】
また、請求項３の構成によれば、前記バンド部が３Ｎ乃至１５Ｎの弾性率の範囲に含まれることで、前記バンド部は、ウエットティッシュ群収容部を配置させる際に、伸張させやすい程度の弾性力であると共に、配置した後に、確実に加温器本体に押し付けることが可能な弾性力とされている。
したがって、利用者が、一度、前記バンド部を伸長させて配置すれば、複数回の使用で前記ウエットティッシュ群収容部内にウエットティッシュが減少しても、前記バンド部の収縮力によって、前記ウエットティッシュ群収容部は前記ウエットティッシュ加温器本体に適度に押し付けられ、当接されるので、利用者が前記バンド部の長さ調節をする回数を著しく減少させることができる。
【００１６】
好ましくは、請求項４の発明によれば、請求項３の構成において、前記弾性体が、耐熱性材料を含んでいることを特徴とするウエットティッシュ加温器である。
【００１７】
請求項４の構成によれば、前記弾性体が、耐熱性材料、例えばポリウレタンゴム等を含んで構成されているので、前記ウエットティッシュ加温器本体の有する前記発熱部の熱の影響による前記弾性体の劣化を低減することができる。
【００１８】
好ましくは、請求項５の発明によれば、請求項２乃至請求項４のいずれかの構成において、前記ウエットティッシュ加温器本体の略外周には、前記底面保持手段に向かって突出して形成される本体側凸部が設けられ、前記底面保持手段の略外周には、前記ウエットティッシュ加温器本体に向かって突出して形成される保持手段側凸部が設けられ、前記保持手段側凸部と前記本体側凸部とは、前記ウエットティッシュ加温器本体と前記底面保持手段とを近接又は当接させたときに、相互に噛み合うように構成されると共に、前記保持手段側凸部が、前記本体側凸部の内側に配置されて噛み合う構成と成っていることを特徴とするウエットティッシュ加温器である。
【００１９】
請求項５の構成によれば、前記底面保持手段の略外周には、前記ウエットティッシュ加温器本体に向かって突出して形成される保持手段側凸部が設けられている。
したがって、前記底面保持手段に前記ウエットティッシュ群収容部を載置した場合、前記ウエットティッシュ群収容部が前記底面保持手段上で、位置決めされ、前記ウエットティッシュ加温器本体に精度良く当接させることができる。
また、この保持手段側凸部の位置は、前記本体側凸部の内側に配置されるため、この保持手段側凸部で位置決めすれば、必ず、ウエットティッシュ加温器本体の下側に位置決めされて、前記ウエットティッシュ群収容部内のウエットティッシュを確実に加温することができる。
さらに、前記保持手段側凸部の位置は、前記本体側凸部の内側に配置されるため、前記保持手段側凸部を内側に、前記本体側凸部を外側に配置して噛み合う構成となる。
したがって、前記ウエットティッシュ加温器本体内に前記底面保持手段が入り込むので、ウエットティッシュ加温器全体を小型化することができ、使用しない場合に保管スペースをとることがなく、また、持ち運びやすくなる。
【００２０】
前記目的は、請求項６の発明によれば、折り畳まれて配置されている複数のウエットティッシュを収容する変形可能なウエットティッシュ群収容部に対して配置される下面筐体部と、この下面筐体部の前記ウエットティッシュ群収容部に対向する面は、一方向に長い長手部側と、この長手部側より短い短手部側とを有すると共に、前記下面筐体部を加温するための発熱部と、を有するウエットティッシュ加温器本体と、前記ウエットティッシュ群収容部を保持して、前記下面筐体部に当接させるためのバンド部とを有し、前記短手部側の一方のウエットティッシュ加温器本体に前記バンド部の一端部側が固定され、前記バンド部の他端部側には、前記バンド部の長さを調節できる長さ調節手段が設けられていることを特徴とするウエットティッシュ加温器により達成される。
【００２１】
前記構成によれば、前記短手部側の一方のウエットティッシュ加温器本体に前記バンド部の一端部側が固定され、前記バンド部の他端部側が配置されるウエットティッシュ加温器本体の前記短手側の他方や、バンド部の他端部には、前記バンド部の長さを調節できる長さ調節手段が設けられているので、前記ウエットティッシュ群収容部の大きさに大小、例えば前記長手部側の長さに長短があっても、その大きさにかかわらず前記バンド部で前記ウエットティッシュ群収容部をしっかり保持することができる。
また、前記ウエットティッシュ群収容部の前記長手部側の長さに長短がある場合、前記長手部側が短いウエットティッシュ群収容部によっては、前記ウエットティッシュ加温器の前記下面筐体の全面を覆うことができず、使用者が前記下面筐体に接触する危険性がある。
しかし、本請求項の発明では、前記ウエットティッシュ群収容部では覆うことができず、露出してしまう前記下面筐体は、前記バンド部によって覆われる構成となるため、使用者が誤って前記下面筐体に接触する危険を大幅に小さくすることができる。
【００２２】
好ましくは、請求項７の発明によれば、請求項６の構成において、前記短手部側のウエットティッシュ加温器本体における前記バンド部の幅が前記短手部側のウエットティッシュ加温器本体の幅に対して５０％乃至１００％とされていることを特徴とするウエットティッシュ加温器である。
【００２３】
前記構成によれば、前記短手部側のウエットティッシュ加温器本体の短手部を結ぶ前記バンド部の幅が前記短手部側のウエットティッシュ加温器本体の幅に対して５０％乃至１００％とされているので、前記バンド部の幅を広く構成することができ、前記ウエットティッシュ群収容部を安定的に保持することができる。また、バンド部の幅を広く確保する事によって、加温された前記下面筐体部の露出を防ぎ、容易に手が触れない構造とされている。
【００２４】
好ましくは、請求項８の発明によれば、請求項６又は請求項７の構成において、ウエットティッシュ加温器本体には、ウエットティッシュ群収容部の取り出し用開口部に対応して形成される貫通孔が形成されて取出口とされており、前記取出口を覆うために配置されるウエットティッシュ加温器蓋部には、前記取出口内に入り込むように凸状の突起部が形成され、前記凸状の突起部はその内部が中空になっていると共に、前記ウエットティッシュ加温器蓋部が前記取出口を塞ぐ構成となっていることを特徴とするウエットティッシュ加温器である。
【００２５】
前記構成によれば、前記ウエットティッシュ加温器蓋部には、前記取出口の貫通孔内に入り込むように凸状の突起部が形成され、前記ウエットティッシュ加温器蓋部が前記取出口を塞ぐ構成となっている。
このため、前記ウエットティッシュ群収容部内のウエットティッシュが、前記取出口内で乾燥等するのを有効に防止することができる。
また、前記凸状の突起部の内部は中空となっており、空気による断熱層が形成されているので、前記取出口を介して前記ウエットティッシュ群収容部内のウエットティッシュの熱が外部に放出し難く、効率的に加温することができる。
【００２６】
好ましくは、請求項９の発明によれば、請求項６乃至請求項８のいずれかの構成において、前記バンド部が帯状を成し、このバンド部の中央部には、前記ウエットティッシュ群収容部の底面側を保持する底面保持手段が移動可能に取り付けられ、この底面保持手段の前記長手部側に対応する部分の長さが、前記ウエットティッシュ加温器本体の前記長手部側より短く形成されていると共に、
前記底面保持手段の中央部に前記ウエットティッシュ群収容部側に向かって突出する中央突出部が形成されていることを特徴とするウエットティッシュ加温器である。
【００２７】
前記構成によれば、前記バンド部の中央部には、前記ウエットティッシュ群収容部の底面側を保持する底面保持手段が移動可能に取り付けられているので、前記ウエットティッシュ群収容部を前記下面筐体に対してむらなく押し付けることができる。
また、前記底面保持手段の前記ウエットティッシュ加温器本体の前記長手部側に対応する部分の長さが、前記長手部側より短く形成されているので、前記ウエットティッシュ群収容部の前記長手部側に対応する部分の長さが短い場合でも、前記底面保持手段を前記ウエットティッシュ群収容部に対して配置しやすい構成となっていると共に、ウエットティッシュ群収容部で最も加温が必要となる中央領域を下面筐体部に対して確実に密着することができる。
【００２８】
また、前記底面保持手段の中央部に前記ウエットティッシュ群収容部側に向かって突出する中央突出部が形成されている。前記バンド部を締めると前記底面保持手段の中央部には、前記ウエットティッシュ群収容部から離間する方向に反る力が働く。また、前記ウエットティッシュ群収容部の中央部の前記取り出し用開口部には、前記取出口が配置されているので加温され難い構成となっている。
そのため、前記底面保持手段の中央突出部で前記ウエットティッシュ群収容部を前記下面筐体側に押し付けることで、加温されにくい前記取り出し用開口部がより前記下面筐体に近づき、加温されやすい構成となっている。
【００２９】
好ましくは、請求項１０の発明によれば、請求項６乃至請求項９のいずれかの構成において、ウエットティッシュ加温器本体には、スイッチを取り付けるための凹部が形成されていることを特徴とするウエットティッシュ加温器である。
【００３０】
前記構成によれば、必要に応じて加温の実施を選択できるだけでなく、スイッチが前記凹部内に配置されるので、ウエットティッシュ加温器を落下等させた場合でも、スイッチが直接、衝突することがないのでスイッチの破損を有効に防止することができる。
【００３１】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００３２】
（第１の実施の形態の構成の概略等について）
図１は、本発明の第１の実施の形態に係るウエットティッシュ加温器である例えばナップウォーマー１００の構成を示す概略斜視図である。図２はウエットティッシュ群収容部であるウエットティッシュ詰替容器２００の構成を示す概略斜視図である。図３は、図２の詰替容器２００の内部構成を示すＩ−Ｉ’線概略断面図である。
ナップウォーマー１００が用いられるウエットティッシュ詰替容器２００は、例えば図２に示すように構成されている。
ウエットティッシュ詰替容器２００は、図３に示すようにポリエチレンフィルムやアルミ等からなる変形可能な容器体２０１を有し、この容器体２０１内には、例えばウエットティッシュＷ１乃至Ｗ４が折り畳まれて配置されている。これらウエットティッシュＷ１等は、通常５０枚から１００枚程度収納されている。
【００３３】
また、ウエットティッシュＷ１等は、不織布等に防腐剤、保湿剤、保湿可溶化剤、安定化剤、界面活性剤及び溶剤等の薬液を含浸させたものである。
【００３４】
薬液が含浸されているウエットティッシュＷ１等は、図３に示すように、一のウエットティッシュＷ１の一部である端部を挟み込むように他のウエットティッシュＷ２が折り畳まれて配置されている。そして、同様にウエットティッシュＷ２の端部をウエットティッシュＷ３が挟み込むように折り畳まれ、ウエットティッシュＷ３の端部をウエットティッシュＷ４が挟み込むように折り畳まれている。
図３では説明の都合上、４枚のウエットティッシュを示しているが、このようなウエットティッシュが上述のように５０枚から１００枚程度、同様に折り畳まれて配置されている。
このような折り畳み方を例えばＺ折りといい、このようにＺ折りで折り畳まれたウエットティッシュＷ１等をポップアップ方式ともいう。
ポップアップ方式には、Ｚ折りだけでなく、ウエットティッシュを２つに折るＶ折りやＺ折りとＶ折りを混合させたもの等も含まれる。
なお、このようなポップアップ方式以外でも、ウエッティッシュ詰替容器２００内で、複数のウエットティッシュが互いに挟み込まれず、重ねられたものに使用することもできる。
【００３５】
このように複数のウエットティッシュＷ１等を収容する容器体２０１には、ウエットティッシュＷ１等を取り出すための取り出し用開口部２１０が形成されている。
そして、この取り出し用開口部２１０を覆うように詰替容器蓋２０２が配置されている。
この詰替容器蓋２０２には、図２に示すように突片２０２ａが形成され、この突片２０２ａを利用者が把持して操作することで詰替容器蓋２０２が剥がされ、取り出し用開口部２１０が露出するようになっている。
【００３６】
このような取り出し用開口部２１０が形成されている取り出し用開口部の形成面である図２の開口部形成面２０１ａに図１のウエットティッシュ加温器本体であるナップウォーマー本体１１０が当接して配置される構成となっている。
【００３７】
図４（ａ）は、図１のナップウォーマー本体１１０及びウエットティッシュ加温器蓋部であるナップウォーマー蓋部１２０の構造を示す概略断面図である。具体的には図１４のナップウォーマー蓋部１２０とナップウォーマー本体１１０のＧ−Ｇ’線概略断面図である。
図４（ｂ）は、図４（ａ）のＫ部の拡大概略断面図である。
図４（ａ）に示すようにナップウォーマー本体１１０の内部には、発熱部であるヒータ１１１が例えば２個配置されている。
ヒータ１１１は、ウエットティッシュＷ１等を加温するためのものであって、例えばセラミックヒータであるＰＴＣヒータ等である。
図５は、図４（ａ）のヒータ１１１等の構成を示した概略図である。図５に示すように、アルミプレート１１３の上に、電極に挟まれるようにしてヒータ１１１が配置され、その電極上にスペーサ１１２とワッシャーを介してネジが配置されている。
なお、アルミプレート１１３は、ナップウォーマー本体１１０における詰替容器開口部形成面２０１ａに接触する面と略同等の平面状とされている。
【００３８】
図６は、図４（ａ）のヒータ１１１の電気的構成を示す概略回路図である。図６に示すように２個のヒータ１１１は、図１に示す電源プラグ１１６から電力が供給され、動作電圧が９０Ｖ乃至１１０Ｖで、消費電流が約１．５Ａ（最大供給時）で発熱するよう構成されている。
また、図６に示すように、温度ヒューズ１１７を有するので万一、ヒータ１１１が異常に加熱された場合や過電流が発生した場合で、１０５℃、２Ａとなったら電力供給が遮断される。
なお、温度ヒューズ１１７の代わりに電流ヒューズやサーモスタット等を使用しても良い。
【００３９】
図７は、図４（ａ）のナップウォーマー本体１１０の概略平面図である。
図４（ａ）及び図７に示すように、ナップウォーマー本体１１０の中心部には、ウエットティッシュ用貫通孔１１８が形成されている。このウエットティッシュ用貫通孔１１８は、図４（ａ）に示すように、例えば正楕円形の開口部１１８ａを有している。この開口部１１８ａは、図２に示すウエットティッシュ詰替容器２００の取り出し用開口部２１０の形状である例えば正楕円形と対応する形状となっている。
したがって、ウエットティッシュ詰替容器２００の取り出し用開口部２１０がナップウォーマー本体１１０のウエットティッシュ用貫通孔１１８と対応して配置できる構成となっている。
【００４０】
また、ウエットティッシュ用貫通孔１１８は、この開口部１１８ａの図４（ａ）における上方に向かって、すなわち、ナップウォーマー本体１１０の厚み方向において、その断面が略台形である傾斜面１１８ｂ（図４（ａ）及び図７参照）を有している。
このため、図４（ａ）の開口部１１８ａから、図において上方に向かって、その孔が徐々に拡径して形成される構成となっている。
【００４１】
このようなナップウォーマー本体１１０のウエットティッシュ用貫通孔１１８を覆うために、図１及び図４（ａ）に示すようにナップウォーマー蓋部１２０が設けられている。
図８は、ナップウォーマー蓋部１２０の構成を示す概略斜視図である。
このナップウォーマー蓋部１２０には、図４（ａ）及び図８に示すように蓋側凸部１２１が形成されている。
この蓋側凸部１２１は図４（ａ）及び図８に示すように、前記ウエットティッシュ用貫通孔１１８と同様に、その厚み方向において、その断面が略台形に形成され、蓋側凸部１２１がその基部から先端部に向かって徐々に縮径して形成されている。
【００４２】
すなわち、図４（ａ）及び図８に示すように、蓋側凸部１２１の側面には蓋側傾斜面１２１ｂが形成されている。
また、図８に示すように、蓋側凸部１２１の先端部の上面は略平面の先端部１２１ａとなっている。この先端部１２１ａの形状及び面積が、前記ウエットティッシュ用貫通孔１１８の開口部１１８ａの形状及び面積と同等、具体的には双方とも正楕円形でほぼ同じ面積となっている。
【００４３】
そして、図４（ａ）に示すように、ナップウォーマー本体１１０にナップウォーマー蓋部１２０を閉状態になるように配置した場合、蓋側凸部１２１の蓋側傾斜面１２１ｂとウエットティッシュ用貫通孔１１８の傾斜面１１８ｂとの間には、図９に示すように微小空間ｄが形成される構成となっている。
図９は図４（ａ）の矢印Ｄの部分の概略拡大図である。
この微小空間は、例えば約０．５ｍｍ乃至約２．０ｍｍとなっている。
この微小空間ｄは、ポップアップ方式とされたウエットティッシュＷ１等を挟持して配置するための空間となっている。
【００４４】
また、本実施の形態では、ナップウォーマー１００は、ウエットティッシュ詰替容器２００の図２に示す開口部形成面２０１ａ側に当接して配置され、ナップウォーマー１００は、ナップウォーマー本体１１０とナップウォーマー蓋部１２０とを有している。
そして、ナップウォーマー本体１１０は、ヒータ１１１と取り出し用開口部２１０に対応して形成されるウエットティッシュ用貫通孔１１８とを有している。このヒータ１１１には、図４（ａ）に示すように、図において下方に伝熱板としてアルミプレート１１３が配置され、更にポリプロピレン（ＰＰ）製の下面筐体１１４が配置されている。
したがって、ヒータ１１１の熱はアルミプレート１１３に伝わり、その後下面筐体１１４を介してウエットティッシュ詰替容器２００に伝わる構成となっている。
【００４５】
このため、ヒータ１１１を有するナップウォーマー本体１１０をウエットティッシュ詰替容器２００の開口部形成面２０１ａ側に当接することで、直近の使用、すなわち優先順位の高い複数のウエットティッシュＷ１等のみ、例えば最も上に位置するウエットティッシュから５枚分程度を効果的に温めることができる。このとき、ウエットティッシュ詰替容器２００の上から５枚乃至１０枚程度のウエットティッシュしか、加温されず、ウエットティッシュ詰替容器２００を収納する形式とはされていないため、使用順位の遅いウエットティッシュに対する加熱温度の影響が低減され、加温に伴う乾燥や変色等の変質を抑制することができる。
【００４６】
（連結バンド部１４０等について）
本実施の形態のナップウォーマー１００には、図１に示すようにバンド部である例えば連結バンド部１４０を備えている。
連結バンド部１４０は、ウエットティッシュ詰替容器２００を保持して、その取り出し用開口部２１０の開口部形成面２０１ａ側を、ナップウォーマー本体１１０に当接させるための伸縮可能なバンド部となっている。
図１４は、ナップウォーマー１００に、連結バンド部１４０を介して、ウエットティッシュ詰替容器２００を装着した状態を示す概略斜視図であり、図１５は、図１４のＦ−Ｆ’線の概略断面図である。
図１４及び図１５に示すように、連結バンド部１４０は、帯状のバンド本体１４２を有しており、このバンド本体１４２の長さを無段階に変更できる長さ調節手段を有している。
【００４７】
この長さ調節手段は、例えばハンドストッパ１１０ｂ及びハンドフック１１０ａ等により構成される。
バンド本体１４２は、図１４等で示されているように帯状に形成されていると共に、伸縮性のある弾性体であるゴム等から成っている。
具体的には、縦糸として、ポリエステル製の糸（太さが１５０／２（ｄ：デニール）を７２本用い、横糸として、同様にポリエステル製の糸（太さ１５０デニール（ｄ））を１本用いている。
ゴム糸はポリウレタンゴムで太さ１１２０デニール（ｄ）で２５本用いている。このゴムに巻かれるカバー糸は、スフ及びポリエステルから成り、スフの太さが２０デニール（ｄ）、ポリエステルの太さが３００デニール（ｄ）となっており、縦糸と平行して配置されている。
前記ゴム糸を形成するポリウレタンゴムは、耐薬性が良好であるだけでなく耐熱性にも優れている。
したがって、弾性体であるポリウレタンゴムが耐熱性を有しているので、前記ナップウォーマー本体１１０の有するヒータ１１１等の熱の影響により、バンド本体１４２のポリウレタンゴムの劣化等が生じ難い構成となっている。
【００４８】
また、長さ調節手段であるバンドストッパ１１０ｂ及びバンドフック１１０ａ等の内、バンドフック１１０ａは、例えばプラスチック等から成っている共に、その断面は図１５に示すように略円形又は略楕円形等に形成されている。
さらに、このバンドフック１１０ａは、ナップウォーマー本体１１０と一体に形成されている。
そして、図１５に示すように、このバンドフック１１０ａの表面に沿うようにバンド本体１４２が保持されている。
また、バンド本体１４２は、その一端部が、ナップウォーマー本体１１０の他側部である図１５の右側に固定されている。そして、バンド本体１４２の中間部は、後述する底板保持手段であるナップウォーマー下板部１３０と移動可能に接続されている。さらに、バンド本体１４２の他端部である図１５の左側には、前記ナップウォーマー本体１１０の一側部（図１５において左側）に形成されているハンドフック１１０ａ等に保持されている。
また、このバンド本体１４２の図１５の左側の端部には、利用者が操作する際に把持等するための操作用リング１４１が形成されている。
【００４９】
このため、利用者が図１５の操作用リング１４１を把持して引くことで、バンドフック１１０ａ上に保持されているバンド本体１４２が滑らかに移動するようになっている。
これは、バンドフック１１０ａが摩擦力が発生し難いプラスチックで形成されており、さらに、その表面も略円弧状等となり、なだらかに形成されているため、バンド本体１４２がバンドフック１１０ａ上を滑りやすい構成となっているからである。
【００５０】
一方、上述の長さ調節手段であるバンドストッパ１１０ｂは、上述のバンドフック１１０ａ上に保持されたバンド本体１４２をハンドフック１１０ａとの間に挟み込んで、バンド本体１１０ａが移動しずらいように配置されている。
図１６はバンドストッパ１１０ｂの構成を示した概略斜視図である。図１６に示すバンドストッパ１１０ｂはＥＶＡ、シリコーンゴム等から成っており、内部に中空の部分が形成されている。
このように柔軟性に富む材質からなり、さらに内部に中空部分が形成されているので、ハンドストッパ１１０ｂはより柔軟性に富む構成となっている。
また、摩擦力を発生させやすい材質で形成されており、更に強い摩擦力が必要な場合には、表面に凹凸を細かく設けても良い。
したがって、図１５のようにバンド本体１４２をバンドフック１１０ａとバンドストッパ１１０ｂとで挟み込むことで、バンド本体１４２が容易に移動しずらいよう仮固定することができる構成となっている。
そして、バンド本体１４２の仮固定の位置は、任意の位置とすることができるので、ウエットティッシュ詰替容器２００を保持するバンド本体１４２の長さを無段階に変更できる構成となっている。
【００５１】
したがって、ウエットティッシュ詰替容器２００の厚みの変化に対応して、利用者が操作用リング１４１を操作して、最適な挟持力になるようバンド本体１４２の長さを調整できると共に、一旦、調整した位置でバンド本体１４２が仮固定される。
このため、ウエットティッシュＷ１等の使用に伴い、ウエットティッシュ詰替容器２００が薄くなっても、バンド本体１４２の長さを調整することができる。更に、若干の厚みの変化に対してはバンド本体１４２の弾性により、ナップウォーマー本体１１０のヒータ１１１の熱を適切にウエットティッシュ詰替容器２００の伝えることができる構成となっている。
【００５２】
また、特に、前記バンド本体１４２には、ポリウレタンゴムを有することにより、バンド本体１４２の弾性率が、３Ｎ（ニュートン）乃至１５Ｎ、好ましくは、６Ｎ乃至１０Ｎの範囲に含まれるよう構成されている。
なお、ここに示す弾性率とは、島津製作所社製オートグラフＡＧＳ−５ｋＮＧでＳＢＬ−２００Ｎのロードセルを使用して、２５度とされた環境下において、あらかじめ用意した９０ｍｍの長さの試料を１時間放置し、その上下端部３０ｍｍをそれぞれオートグラフにおけるチャック部に固定して、中央部にとなる３０ｍｍについて、５００ｍｍ／ｍｉｎの速度で１５０％伸長した引張応力を示している。
【００５３】
したがって、利用者が、後述のように、一度、前記バンド本体１４２を伸長させて、ウエットティッシュ詰替容器２００を保持すれば、複数回のウエットティッシュＷ１等の使用で、ウエットティッシュ詰替容器２００内のウエットティッシュＷ１等が僅かに減少しても、前記バンド本体１４２の収縮力によって、ウエットティッシュ詰替容器２００はナップウォーマー本体１１０に適度に押し付けられ、当接されるので、利用者がバンド本体１４２の長さ調節をする回数を著しく減少させることができる。
また、ウエットティッシュ詰替容器２００をナップウォーマー１００に装着する際にも容易に脱着させることができる。
【００５４】
このように構成されているので、図１５に示すように、バンド本体１４２によって、ウエットティッシュ詰替容器２００の取り出し用開口部２１０の開口形成面２０１ａをナップウォーマー本体１１０に当接させることができ、ウエットティッシュＷ１等を適切な温度に加温することができる。
また、例えば、ウエットティッシュ詰替容器２００内になるウエットティッシュＷ１等の減少によって、ウエットティッシュ詰替容器２００の容器体２０１と内部のウエットティッシュＷ１等との間に隙間が生じる場合でも、前記バンド本体１４２を予め多めに伸長させて配置すれば、その収縮によって、この隙間を解消し、常にウエットティッシュ詰替容器２００の開口部形成面２０１ａをナップウォーマー本体１１０に当接させることができる。
すなわち、前記バンド本体１４２が収縮する際、ウエットティッシュ詰替容器２００の容器体２０１を変形させながら、内部のウエットティッシュＷ１等をナップウォーマー本体１１０に当接させることになる。
【００５５】
また、ウエットティッシュ詰替容器２００内のウエットティッシュＷ１等が著しく減少した場合は、バンド本体１４２の上述の収縮では、前記ウエットティッシュ詰替容器２００の容器体２０１と、内部のウエットティッシュＷ１等との隙間を解消することができない。
そこで、前記操作用リング１４１を引き、バンドストッパ１１０ｂとバンドフック１１０ａとで挟まれているバンド本体１４２の位置を変えることで、バンド本体１４２がウエットティッシュ詰替容器２００を保持している長さを変更し、短くすることで、前記隙間を解消し、内部のウエットティッシュＷ１等と容器体２０１及びナップウォーマー本体１１０との隙間を無くして、ウエットティッシュＷ１等を適切に加温することができる構成となっている。
【００５６】
また、このバンド本体１４２の長さ調節は、上述のように無段階に変更することができるので、容器体２０１内のウエットティッシュＷ１等とナップウォーマー本体１１０との接触圧力を常に適切な圧力としつつ、当接させることができ、ウエットティッシュＷ１等を適切に加温することができる構成となっている。
【００５７】
（ナップウォーマー下板部１３０等について）
図１７は、図１５のナップウォーマー下板部１３０の構成を示す概略斜視図である。
図１７に示すナップウォーマー下板部１３０は、ウエットティッシュ詰替容器２００の取り出し用開口部２１０の形成面（開口部形成面２０１ａ）である平面側の反対側に相当するウエットティッシュ詰替容器２００の底面部を配置させるための底面保持手段の一例である。
このナップウォーマー下板部１３０を設けることで、連結バンド部１４０の長さを調整しても、ウエットティッシュ詰替容器２００が傾かず、均等に精度良くナップウォーマー本体１１０に当接されるので、適切な加温がより確実になる構成となっている。
【００５８】
また、利用者が上述の操作用リング１４１を操作することでバンド本体１４２のウエットティッシュ詰替容器２００を保持する長さを調整すると、同時に、このバンド本体１４２の中間部と接続されているナップウォーマー下板部１３０とウエットティッシュ詰替容器２００との相対位置も変更する構成と成っている。したがって、バンド本体１４２の移動に拘わらず、ナップウォーマー下板部１３０は、ウエットティッシュ詰替容器２００の底面部を変わらずに保持し続けることになる。
そして、ナップウォーマー下板部１３０は、ウエットティッシュ詰替容器２００の底面全体を保持するので、バンド本体１４２によって与えられるウエットティッシュ本体１１０に対する接触圧力である当接力も、前記ウエットティッシュ詰替容器２００の底面全体に均等に働くことになる。
【００５９】
したがって、ウエットティッシュ詰替容器２００の取り出し用開口部２１０の開口部形成面２０１ａも略均等に、ナップウォーマー本体１１０に当接され、ウエットティッシュ詰替容器２００内のウエットティッシュＷ１等の加温が偏ることを未然に防止することができる。
すなわち、ウエットティッシュＷ１等の偏りによるウエットティッシュＷ１等の部分的乾燥や変色等の変質の発生を効果的に防ぐことができる。
【００６０】
また、バンド本体１４２の一端部は上述のように図１５のナップウォーマー本体１１０の右側に固定されている。このため、上述のように操作用リング１４１を利用者が引くことで、容易にウエットティッシュ詰替容器２００を保持しているバンド本体１４２の長さを変化させることができる。
このとき、ナップウォーマー下板部１３０はバンド本体１４２との相対的位置を変化可能に接続（移動可能に接続）されているので、バンド本体１４２の長さの変化に応じて、その相対的位置を変化（この場合は、バンド本体１４２の固定された一端部側に移動する）させることができる。
したがって、ナップウォーマー下板部１３０は、上述のように、常にナップウォーマー本体１１０の直下の位置を変えることなく、ウエットティッシュ詰替容器２００を保持することができる構成となっている。
【００６１】
ところで、ナップウォーマー本体１１０の略外周には、図１５に示すように、ナップウォーマー下板部１３０に向かって突出して形成される本体側凸部である裾部１１０ｃが設けられている。
また、ナップウォーマー下板部１３０の略外周には、ナップウォーマー本体１１０に向かって突出して形成される保持手段側凸部である縦リブ１３１が設けられている。
そして、前記縦リブ１３１と裾部１１０ｃとは、ナップウォーマー本体１１０とナップウォーマー下板部１３０とを近接又は当接させたときに、相互に噛み合うように構成されると共に、前記縦リブ１３１が前記裾部１１０ｃの内側に配置されて噛み合う構成となっている。
【００６２】
すなわち、ナップウォーマー下板部１３０の外形寸法はナップウォーマー本体１１０の外形寸法より例えば５ｍｍ程度小さく形成されている。
一方、ナップウォーマー本体１１０には、図１５に示すように裾部１１０ｃが下方に突出して形成されている。
したがって、非使用時で、ウエットティッシュ詰替容器２００を装着していないナップウォーマー１００は、ナップウォーマー下板部１３０がナップウォーマー本体１１０の裾部１１０ｃ内に入り込む構成となっている。
このため、利用者がナップウォーマー１００を小型化することができ、持ち運び易く、また保管し易くなる。
【００６３】
また、ナップウォーマー下板部１３０に縦リブ１３１が形成されているため、ナップウォーマー下板部１３０上にウエットティッシュ詰替容器２００を載置した場合、ウエットティッシュ詰替容器２９９が縦リブ１３１で位置決めされ、ウエットティッシュ詰替容器２００を精度良く、ナップウォーマー本体１１０に当接させることが可能となる。
また、縦リブ１３１の位置は、前記裾部１１０ｃの内側に配置されるため、この縦リブ１３１でウエットティッシュ詰替容器２００を位置決めすれば、ウエットティッシュ詰替容器２００内のウエットティッシュＷ１等を確実にナップウォーマー本体１１０の下面筐体１１４に接触させて加温することができる構成となっている。
【００６４】
また、ナップウォーマー下板部１３０には、縦リブ１３１が形成されているので、ナップウォーマー下板部１３０が、成形時や、使用する際に強くバンド本体１４２に引かれても、歪み難い構成となっている。
更に、ナップウォーマー下板部１３０は図１７に示すように外周方向に突出した横リブ１３２や中央に中央凸部１３３を有するため、さらに歪み難く、しっかりウエットティッシュ詰替容器２００を保持できる構成となっている。
また、図１５に示すように、バンド本体１４２は、ナップウォーマー下板部の内側に配置されているため、バンド本体１４２が汚れにくい構成ともなっている。
【００６５】
（ナップウォーマー本体１１０及びナップウォーマー蓋部１２０等の構成等について）
また、ナップウォーマー本体１１０にはウエットティッシュ用貫通孔１１８を有するので、上述の加温されたウエットティッシュＷ１等を、この貫通孔を介して利用者が容易に取り出すことができる。
【００６６】
さらに、ナップウォーマー蓋部１２０は、ウエットティッシュ用貫通孔１１８を覆うために配置されているので、ナップウォーマー１００の非使用時には、ウエットティッシュ蓋部１２０によりウエットティッシュ用貫通孔１１８を閉状態にすることができ、ウエットティッシュ詰替容器２００内のウエットティッシュＷ１等の乾燥等を防止することができる。
【００６７】
そして、本実施の形態では、ナップウォーマー蓋部１２０には蓋側凸部１２１が形成され、この蓋側凸部１２１とウエットティッシュ用貫通孔１１８との間には、ウエットティッシュＷ２等を挟持し配置するための微小間隔ｄが形成されている（図９参照）。
したがって、ナップウォーマー蓋部１２０でウエットティッシュ用貫通孔１１８を上述のように閉状態とした場合、次の使用のために突出しているウエットティッシュＷ１等が、この微小空間ｄ内に配置される構成となっている。
このため、この微小空間ｄがウエットティッシュＷ１等の突出部分で埋められ、密閉性が高まり、ウエットティッシュＷ２等と空気との接触面積が減少することとなる。
そして、これによりウエットティッシュＷ１等の表面から乾燥することが防止され、ひいてはウエットティッシュＷ２等の変色等の変質を防ぐことができる構成となっている。
【００６８】
また、図４（ａ）に示すように、ウエットティッシュ用貫通孔１１８には、傾斜面１１８ｂが形成され、この傾斜面１１８ｂは、ナップウォーマー１００をウエットティッシュ詰替容器２００に対して配置したときに、取り出し用開口部２１０の周囲に対して形成される。
このため、図３に示す取り出し用開口部２１０から、ウエットティッシュ用貫通孔１１８を介して取り出されるウエットティッシュＷ１等が、この取り出し用開口部２１０に対して角度をもって引き出された場合、例えば、図４（ａ）の矢印Ｅで示すθが４５°の角度を持って引き出された場合でも、この傾斜面１１８ｂによってウエットティッシュＷ１等は案内され、ウエットティッシュＷ１等が途中で引っ掛かることがなく、利用者はスムーズにウエットティッシュＷ１等を引き出すことができる。
また、傾斜面１１８ｂは、取り出し用開口部２１０の周囲に形成されているので、利用者は取り出し用開口部２１０の、どの方向からウエットティッシュＷ１等を例えば４５°の角度を持って引き出しても、引っ掛かることなくスムーズに引き出すことができる。
【００６９】
一方、図４（ａ）及び図７に示すように、ナップウォーマー蓋部１２０の蓋側凸部１２１は、ウエットティッシュ用貫通孔１１８の形状に対応するように、その厚み方向において、その断面が略台形に形成され、その基部（図４（ａ）において上部）から先端部１２１ａに向かって徐々に縮径して形成されている。
したがって、ナップウォーマー蓋部１２０の開閉を妨げることない構成となっている。更に、蓋側凸部１２１には、蓋側傾斜面１２１ｂが形成され、ウエットティッシュ用貫通孔１１８の傾斜面１１８ｂに沿って近接して配置させ易く、微小空間ｄを形成し易い構成となっている。
【００７０】
また、図４（ａ）及び図８に示す蓋側凸部１２１の先端部１２１ａの上面は略正楕円形の略平面となっている。そして、ウエットティッシュ用貫通孔１１８の開口部１１８ａと略同等の形状及び面積とされ、更に図２に示すようにウエットティッシュ詰替容器２００の取り出し用開口部２１０の形状も略正楕円形で、その面積は先端部１２１ａと略同等となっている。
したがって、ウエットティッシュ詰替容器２００の取り出し用開口部２１０に対して、近接して蓋側凸部１２１の先端部１２１ａを配置することができる。
このため、先端部１２１ａとウエットティッシュ詰替容器２００内のウエットティッシュＷ１等との隙間を減らすことができる。
すなわち、図１５に示すようにウエットティッシュＷ１が配置される。
【００７１】
そして、このように空間を減らすことで、突出しているウエットティッシュＷ１等の一部が、よりこの空間内に埋められ、密閉性が高まり、空気との接触を減らすことができるので、ウエットティッシュＷ１等の薬液等の蒸発を抑えることが可能となっている。
図１０は、図４（ａ）の矢印Ｊの部分の概略拡大図である。
図１０及び図８に示すように蓋側凸部１２１の基部における外周には密閉リブ１２６が設けられている。この密閉リブ１２６は、図８に示すナップウォーマー本体１１０の天面１１０ｆに接触する（図１０参照）ように形成されている。
このため、微小空間ｄに、図１５に示すように配置されたウエットティッシュＷ１の上端側から薬液等が蒸発することを、この密閉リブ１２６によって更に低減している。
また、図４（ｂ）及び図１２（ｂ）に示すように、開口部１１８ａにおいて、傾斜面１１８ｂ側に、下面筐体１１４が入り込むように接合されることにより、開口部１１８ａの接合部からナップウォーマー本体１１０の内側に蒸気等が入り難い構成となっている。
【００７２】
（本実施の形態のその他の構成等について）
図１に示すようにナップウォーマー蓋部１２０の表面側には、蓋側凸部１２１に対応した形状、すなわち、その断面が略台形の形状に蓋側凹部１２２が形成されている。
したがって、ナップウォーマー蓋部１２０を倒してウエットティッシュ用貫通孔１１８を閉状態にし、利用者がナップウォーマー１００を持ち運ぶ際に、蓋側凹部１２２は、利用者の指掛かりとして機能するので、利用者がナップウォーマー１００を持ち運び易くなる。
【００７３】
また、本実施の形態では、図４に示すナップウォーマー蓋部１２０が、ナップウォーマー本体１１０のウエットティッシュ用貫通孔１１８を塞ぐように閉状態に配置された際に、ヒータ１１１の図において上には断熱材１１５と筐体、更にナップウォーマー本体１１０との隙間を介してナップウォーマー蓋部１２０が配置される構成となっている。
したがって、利用者がナップウォーマー蓋部１２０に触れた場合でも、最も高熱となるヒータ１１１の上には、断熱材１１５とナップウォーマー蓋部１２０等が配置されるので、このナップウォーマー蓋部１２０と断熱材１１５等が断熱効果を発揮する。
このため、最も高熱となるヒータ１１１の上方であるナップウォーマー蓋部１２０に触れても、著しい熱さを感じさせない構成となっている。
【００７４】
さらに、ナップウォーマー蓋部１２０は、図１に示すように、ナップウォーマー本体１１０に対して支持手段によって揺動可能に支持されている。
すなわち、ナップウォーマー蓋部１２０に形成されている係合凸部と、この係合凸部に対応してナップウォーマー本体１１０に形成されている係合凹部との係合によって支持手段が構成されている。
図１１はナップウォーマー蓋部１２０に形成された係合凸部１２３ａ、１２３ｂを示した概略図である。
図１１に示された係合凸部１２３ａ、１２３ｂは、図１に示すようにナップウォーマー本体１１０に係合される。このとき、ナップウォーマー本体１１０には、図示しない係合凹部が係合凸部１２３ａ、１２３ｂに対応して形成されている。
【００７５】
また、ナップウォーマー蓋部１２０は、付勢手段により、ナップウォーマー本体１１０から離間する方向に付勢力が与えられる構成としても良い。
すなわち、付勢手段として、例えばトーションスプリング等がナップウォーマー蓋部１２０の揺動軸の近傍に配置され、このトーションスプリングで付勢力が生じるようになっている。
【００７６】
また、ナップウォーマー蓋部１２０とナップウォーマー本体１１０とには、ナップウォーマー蓋部１２０をナップウォーマー本体１１０に係止するための蓋部側係止片と本体側係止片とがそれぞれ設けられている。
図１２（ａ）は、図１４で示すナップウォーマー蓋部１２０とナップウォーマー本体１１０のＦ−Ｆ’線の概略断面図である。図１２（ｂ）は、図１２（ａ）のＬ部の拡大概略断面図である。図１３は図１２（ａ）のＨで示した部分の概略拡大図である。
前記蓋部側係止片や前記本体側係止片は、具体的には、図１３に示すように、ナップウォーマー蓋部１２０の先端における内側（図中右方向）に突出して形成されている蓋側係止片１２４や、ナップウォーマー本体１１０から外側（図中左方向）に突出した瘤状に形成される本体側係止片１１９となっている。
【００７７】
このような蓋側係止片１２４や本体側係止片１１９との係止を解除する解除手段である開放ボタン１５０がナップウォーマー本体１１０に対して揺動可能に図１２（ａ）及び図１３に示すように形成されている。
【００７８】
このように構成されているため、利用者は蓋側係止片１２４と本体側係止片１１９とを係止させることで、容易にナップウォーマー蓋部１２０をナップウォーマー本体１１０に対して閉状態に保持させることができる。
具体的には、図１３に示すように蓋側係止片１２４が本体側係止片１１９を乗り越えて図において本体側係止片１２４の下方に位置することで係止されることになる。
【００７９】
逆に、ナップウォーマー蓋部１２０を開状態にするには、図１２（ａ）及び図１３に示す開放ボタン１５０を操作することで、蓋側係止片１２４と本体側係止片１１９との係止状態が解除されることになる。
具体的には、開放ボタン１５０を押すことで、図１３の矢印の方向に、解除手段の端部である開放ボタン１５０の先端部側が上方に持ち上げられる。そして、開放ボタン１５０の先端部がナップウォーマー蓋部１２０の下縁部である蓋側係止片１２４の下側に配置されている。このため、蓋側係止片１２４と本体側係止片１１９との係止を強制的に解除することができる構成となっている。
また、付勢手段を設けた場合には、このように解除されたナップウォーマー蓋部１２０は、上述のトーションスプリングの付勢力によってナップウォーマー本体１１０から離間する方向に揺動し、開状態となる（図１参照）。
【００８０】
また、図４（ａ）及び図８に示すように、ナップウォーマー本体１１０には、ナップウォーマー蓋部１２０の外形に沿って突出している外形リブ１２５を収容するための溝部１１０ｄが形成されており、更に密閉性が高められている。
また、この溝部１１０ｄは図４（ａ）に示すように外形リブ１２５の肉厚より大きく形成されている。したがって、この溝部１１０ｄの清掃が容易となりナップウォーマー１００を清潔に維持することができる。
【００８１】
また、図６及び図１４に示すようにナップウォーマー本体１１０にはヒータ１１１に通電されていることを示す通電ランプ１１０ｅが形成されているので、利用者は容易に通電状態を把握することができる。
この他にも、電源のＯＮ・ＯＦＦが行えるよう電源ボタンを設けてもよく、さらに、電源が開放ボタン１５０や連結バンド部１４０の操作と連動してＯＮ・ＯＦＦされるよう構成しても良い。
【００８２】
本実施の形態のナップウォーマー１００は以上のように構成されているが、以下、その動作等を使用方法と共に説明する。
先ず、利用者は、図２に示すようなウエットティッシュ詰替容器２００の詰替容器蓋２０２を突片２０２ａを持ち引き剥がし、取り出し用開口部２１０を露出させる。
次に、図１に示すバンド本体１４２を持ってバンドの長さをウエットティッシュ詰替容器２００が入るように調整する。
【００８３】
そして、ウエットティッシュ詰替容器２００をナップウォーマー下板部１３０上に載置し、図１４に示すようにナップウォーマー本体１１０とナップウォーマー下板部１３０で挟むように配置する。このときウエットティッシュ詰替容器２００の開口部形成面２０１ａが（図２参照）、ナップウォーマー本体１１０の下面筐体１１４に当接していないときは、図１５の操作用リング１４１を引くことで容易に当接させることができる。
また、バンド本体１４２は、弾性を有するので伸縮するため多少強めに当接させてもゴムの伸長で適切な当接に調整することができる。また、このように多少強めに当接させることができるので、後述するバンド本体１４２の締め直しの回数を減らすことができる。
【００８４】
次に、図１の電源プラグをコンセントに差し込むことで電力がヒータ１１１に供給され、同時に図１４の通電ランプ１１０ｅが点灯する。
ヒータ１１１は１０５℃まで上昇すると図６に示すように温度ヒューズ１１７で遮断されるので、ヒータ１１１が加熱されすぎるのを防いでいる。
ヒータ１１１は６０℃±１０℃で動作するように制御される。
ヒータ１１１が発熱すると、その熱は、図４（ａ）に示すように伝熱板であるアルミプレート１１３から下面筐体１１４を介して、この下面筐体１１４に当接して配置されているウエットティッシュ詰替容器２００の開口部形成面２０１に伝わり、ウエットティッシュ詰替容器２００内のウエットティッシュＷ１等に伝わる。
このとき、ウエットティッシュＷ１等は、最も上に位置するウエットティッシュＷ１が約６０℃となり、上から５枚目のウエットティッシュＷ５は約５０℃、上から１０枚目で約４５℃となる。
【００８５】
次に、ウエットティッシュＷ１を使用する場合は、利用者は図１２（ａ）の開放ボタン１５０を操作し、蓋側係止片１２４と本体側係止片１１９との係止を解除し、ナップウォーマー蓋部１２０を開く。
次に、利用者が図３に示すウエットティッシュＷ１を引き出して使用する。このウエットティッシュＷ１の温度は使用に適した温度となるので心地よく、特に乳幼児等が機嫌を損ねることがない。
このようにウエットティッシュＷ１が引き出されると、図３に示す次にウエットティッシュＷ２は、上述のポップアップ方式なので一部が突出した状態となる。
【００８６】
ここで、利用者が一旦、ナップウォーマー蓋部１２０を閉めると、この突出したウエットティッシュＷ２の一部は、図４（ａ）の蓋側凸部１２１の先端部１２１ａとウエットティッシュ詰替容器２００の取り出し用開口部２１０との間と、微小間隔ｄとに押し込められることなる。
したがって、このナップウォーマー蓋部１２０とナップウォーマー本体１１０とウエットティッシュ詰替容器２００との間に押し込められたウエットティッシュＷ２によって、このウエットティッシュＷ２の表面は、空気との接触面積が減ることになり、乾燥が防げ、ひいては変色等の変質も防ぐことになる。
【００８７】
次に、利用者がナップウォーマー蓋部１２０を開けたときは、上述の適温に温められ乾燥等していないウエットティッシュＷ２を使うことができることになる。
また、利用者がウエットティッシュＷ２等を引き出すとき図４（ａ）の矢印Ｅのように斜めから角度、例えば４５°で引き出しても、ナップウォーマー本体１１０のウエットティッシュ用貫通孔１１８には、傾斜面１１８ｂがあるため、ウエットティッシュＷ２等が途中で引っ掛かることなくスムーズにとり出すことができる。
【００８８】
次に、このようにウエットティッシュＷ２等を使用して、ウエットティッシュ詰替容器２００の厚みがバンド本体１４２の弾性による許容範囲を超えるほど薄くなったときは、ウエットティッシュ詰替容器２００の開口部形成面２０１ａとナップウォーマー本体１１０との当接が不十分になるまたは、離間してしまうので、図１３の操作用リング１４１を操作して再びウエットティッシュ詰替容器２００を適切に当接させる。
図１８は、ウエットティッシュ詰替容器２００のウエットティッシュＷ１等が残り少なくなった状態を示す概略斜視図である。
このように、本実施の形態のナップウォーマー１００は、連結バンド部１４０を操作することで最後のウエットティッシュまで加温し使用することができる。しかも、最後のウエットティッシュまで乾燥や黄変を起こすことがない。
【００８９】
次に、最後のウエットティッシュを使い終わったら、バンド本体１４２を長くして、ナップウォーマー本体１１０とナップウォーマー下板部１３０との間隔を広げて、ウエットティッシュ詰替容器２００を取り外し、新しいウエットティッシュ詰替容器２００を装着することになる。
新しいウエットティッシュ詰替容器２００を装着しない場合は、上述のように外形の大きさが５ｍｍ程度小さく形成されているナップウォーマー下板部１３０を図１３に示すナップウォーマー本体１１０の裾部１１０ｃ内に収めることで、ナップウォーマー１００をコンパクトにすることができ、収納や持ち運びがし易くなっている。
【００９０】
（第２の実施の形態）
図１９は、第２の実施の形態に係るナップウォーマーの要部を示す概略図である。
なお、図１９に示す構成等以外の構成は、上述の第１の実施の形態と同様であるため同一符号等として、その説明を省略する。
図１９には、本実施の形態のバンドストッパ３１０ｂが示されている。そして、このバンドストッパ３１０ｂ等の形状が上述の第１の実施の形態の図１５等に示すバンドストッパ１１０ｂと異なる。
すなわち、バンドストッパ３１０ｂは、ナップウォーマー本体１１０に固定されている固定部３１０ｃを有している。また、このバンドストッパ３１０ｂの固定部３１０ｃの反対側には、自由端部３１０ｄが形成されている。
【００９１】
また、このバンドストッパ３１０ｂは、図１５のバンドストッパ１１０ｂと同様に柔軟性に富む材質から成り、摩擦力が発生し易い材質ともなっている。
このため、前記固定部３１０ｃが支点となって、自由端部３１０ｄが図１９の矢印方向に揺動可能となっている。
また、このバンドストッパ３１０ｂの図において下面側には、断面が略三角形の逆止用凸部３１０ｅが複数個形成されている。
したがって、図１５に示すようにバンド本体１４２をウエットティッシュ詰替容器２００で保持した場合に、そのバンド本体１４２を直接、保持しているバンド本体１４２の部分がバンドフック１１０ａを介して長くなる方向に力が加わったとき、すなわち、図１９のバンド本体１４２が右下方向に引っ張られた際、このバンドストッパ３１０ｂの本体と前記逆止用凸部３１０ｅによって、バンド本体１４２の移動を精度良く制御する構成となっている。
【００９２】
また、バンドストッパ３１０ｂは、上述のように柔軟性に富む材質から成っているため、利用者がウエットティッシュ詰替容器２００を保持するバンド本体１４２の長さを長く調節しようとするときは、利用者が、図１９のバンドストッパ３１０ｂの自由端部３１０ｄの先端部を持ち、図において上方に持ち上げるとバンドストッパ３１０ｂは固定部３１０ｃを支点に変形して撓むことになる。
すると、図１９のバンド本体１４２とバンドストッパ３１０ｂとの係合が外れ、バンド本体１４２を図において右下方向へ移動させ易くなる。
したがって、利用者がウエットティッシュ詰替容器２００を保持するバンド本体１４２の長さを容易に長く調節することができる。
逆に、一度、ウエットティッシュ詰替容器２００を保持するバンド本体１４２の長さを定め、容易に変更等させたくないときは、図１９のバンドストッパ３１０ｂを利用者が離せば、その弾性力で図１９の位置に戻る。
【００９３】
そして、バンドストッパ３１０ｂは、逆止用凸部３１０ｅと共にバンド本体１４２をバンドフック１１０ａとの間に挟持し、容易にバンド本体１４２の位置が変動しないようにさせることができる。
このように、利用者がバンド本体１４２の長さ調節をし易いナップウォーマーとなる。
ところで、このようなバンドストッパ３１０ｂは、図１９に示すように、ナップウォーマー本体３１０に形成された開口３１０ａから、その先端が突出するように構成されているので、利用者が自由端部３１０ｄの先端を持ちやすいように構成されている。
【００９４】
（第３の実施の形態）
図２０は、本発明の第３の実施の形態に係るナップウォーマー４００を示す概略図であり、図２１は、図２０のナップウォーマー４００がウエットティッシュ詰替容器２００を保持した状態を示す概略断面図である。
本実施の形態に係るナップウォーマー４００の構成の多くは上述の第１の実施の形態のナップウォーマー１００とほぼ同様なため、第１の実施の形態と同様の構成は同一符号等とすることで、説明を省略し、以下、相違点を中心に説明する。
【００９５】
本実施の形態では、第１の実施の形態と異なり、バンド本体１４２が、弾性を有しないベルト状の部材で構成されており、図２０及び図２１に示すように、ナップウォーマー下板１３０の近傍に第２の操作用リング４４１が設けられている。
すなわち、この第２の操作用リング４４１は、主にバンド本体１４２のうち、図２１に示す、ナップウォーマー下板部１３０に対応して配置されている部分であるバンド本体底側１４２ｂ及び、ナップウォーマー本体１１０の図において左側の固定部分からナップウォーマー下板部１３０まで配置される部分であるバンド本体左側１４２ａを調整するために配置されており、バンド本体左側１４２ａの区間において自由に位置を変えられるよう係止されている。
【００９６】
具体的には、利用者が上述のようにウエットティッシュ詰替容器２００の内容量の減少に伴い、ウエットティッシュ詰替容器２００を保持するバンド本体１４２を短く調整する際、上述のように操作用リング１４１を引くことになる。
このとき、引かれたバンド本体１４２のうち、図２１のバンドフック１１０ａからナップウォーマー下板部１３０までの部分であるバンド本体左側１４２ａの部分が大きく引かれ、その長さが短くなるが、バンド本体底側１４２ｂを介してバンド本体右側１４２ｃの長さは、操作用リング１４１から遠くなるため、バンド本体左側１４２ａに比べ短くならない。
これでは、図２１のバンド本体１４２は、バンド本体左側１４２ａとバンド本体右側１４２ｃとの長さが異なり、ナップウォーマー下板部１３０を傾けて保持することになり、これによりウエットティッシュ詰替容器２００の開口部形成面２０１ａを精度良くナップウォーマー本体１１０に当接できず、ウエットティッシュＷ１等の加温も適度にできないこととなる。
【００９７】
そこで、係る事態を回避するため、利用者がウエットティッシュ詰替容器２００を保持しているバンド本体１４２の長さを短くするときは、先ず図２１の第２の操作用リング４４１を引き、バンド本体右側１４２ｃの長さを適当な長さに設定する。
そして、その後、図２１の操作用リング１４１を引き、バンド本体左側１４２ａの長さを、バンド本体右側１４２ｃと揃える。
これにより、バンド本体１４２が弾性を有していない場合においても、バンド本体右側１４２ｃとバンド本体左側１４２ａの長さを容易に揃えることができ、ナップウォーマー下板部１３０の傾きが生じるのを未然に防ぐことができるので、ウエットティッシュＷ１等を適温に加温することがより精度良く行われることになる。
また、操作用リング１４１の基部側には、バンド係止部１４１ａが設けられており、図２１に示すように、ナップウォーマー本体１１０から引き出されたバンド本体１４２がふらつくことを防ぐために、バンド本体左側１４２ａに操作用リング１４１を係止させる構成とすることもできる。
【００９８】
（第４の実施の形態）
図２２は本発明の第４の実施の形態に係るナップウォーマー５００を示す概略斜視図である。
本実施の形態のナップウォーマー５００は、上述の第１の実施の形態のナップウォーマー１００と共通する構成を含んでいるが、これら共通する構成は第１の実施の形態のナップウォーマー１００と同様の符号等を付す等によって説明を省略し、以下、相違点を中心に説明する。
本実施の形態に係るナップウォーマー５００には、図２２に示すようにナップウォーマー１００が備えていたナップウォーマー下板部１３０を有していない。しかし、ナップウォーマー５００は、図２２に示すようにバンド部である第１のバンド本体５４２ａと第２のバンド本体５４２ｂとを有している。
したがって、これら２本のバンド本体５４２ａ、５４２ｂでウエットティッシュ詰替容器２００を保持することで、ウエットティッシュ詰替容器２００の開口部形成面２０１ａを精度良くナップウォーマー本体５１０に当接させることができる。
【００９９】
また、バンド本体５４２ａ、５４２ｂには、両者を連結するように操作用リング５４１が配置されている。
したがって、利用者が操作用リング５４１を引くと、２本のバンド本体５４２ａ、５４２ｂが同様の力で引かれ、ウエットティッシュ詰替容器２００を保持している２本のバンド本体５４２ａ、５４２ｂの長さも同じ長さに調節し易い構成となっている。
したがって、２本のバンド本体５４２ａ、５４２ｂの長さが異なり、保持されるウエットティッシュ詰替容器２００が傾いて配置され、ウエットティッシュＷ１等の加温が不十分になるのを未然に防ぐことができる。
これら２本のバンド本体５４２ａ、５４２ｂ及び操作用リング５４１とで連結バンド部５４０を構成されるようになっている。
【０１００】
また、図２２に示すナップウォーマー本体５１０には、図２３に示す蓄熱剤５１１が収容され、ウエットティッシュ詰替容器２００を加温する構成となっている。
図２３は、蓄熱剤５１１を示す概略斜視図である。
この蓄熱剤５１１は、ナップウォーマー本体５１０から着脱可能となっており、ナップウォーマー５１０から取り外された蓄熱剤５１１は、例えば電子レンジ等で温められた後、ナップウォーマー本体５１０に装着される構成となっている。
したがって、ナップウォーマー５００は外部から電力等の供給を受けることなく、ウエットティッシュＷ１等を加温でき、外出先で電源が無い場合でも使用することができる構成となっている。
【０１０１】
なお、本実施の形態のナップウォーマー５００にも、図２２に示すようのに開閉可能なナップウォーマー蓋部５２０が備わっている。
【０１０２】
（第５の実施の形態）
図２４は本発明の第５の実施の形態に係るナップウォーマー６００を示す概略斜視図である。
本実施の形態のナップウォーマー６００は、上述の第１の実施の形態のナップウォーマー１００と共通する構成を含んでいるが、これら共通する構成は第１の実施の形態のナップウォーマー１００と同様の符号等を付す等によって説明を省略し、以下、相違点を中心に説明する。
本実施の形態のナップウォーマー６００は、第１の実施の形態のナップウォーマー１００と同様にヒータ１１１を備えたナップウォーマー本体６１０と、開閉可能なナップウォーマー蓋部６２０を有している。
【０１０３】
しかし、ナップウォーマー１００と異なり、ナップウォーマー６００は、ナップウォーマー詰替容器２００を収容する詰替容器収容部６３０を有している。
この詰替容器収容部６３０は後述するバンド本体６４２等で容易に変形可能な材質で成っている。
また、この詰替容器収容６３０の上方には、リング状の把持部６４０が備えられている。
したがって、利用者がナップウォーマー６００を持ち運ぶ際に、把持部６３０を持つことで運びやすい構成となっている。
【０１０４】
また、図２４に示すように、長さ調節手段であるバンド本体６４２とバンド長さ調節治具６４１が設けられて連結バンド部６４０が構成されている。そして、バンド本体６４２及びバンド長さ調節治具６４１はナップウォーマー本体６１０と連結して形成されている。
そして、利用者が詰替容器収容部６３０内のウエットティッシュ詰替容器２００のウエットティッシュＷ１等を使用することで、ウエットティッシュ詰替容器２００の開口部形成面２０１ａとナップウォーマー本体６１０との当接が不十分になると、利用者が図２５に示すように、バンド本体６４２の舌片６４２ａ側を引いて、詰替容器収容部６３０を変形させる。
これにより、ウエットティッシュＷ１等を常に適温に加温することができる構成となっている。
図２５はナップウォーマー６００の使用状態を示す概略斜視図である。
【０１０５】
本実施の形態のナップウォーマー６００では、把持部６４０である取っ手が付いているので、利用者が運び易い。また、詰替容器収容部６３０があるので、ウエットティッシュ詰替容器２００が露出せず、持ち運びのファッション性も向上する構成となっている。
【０１０６】
（第６の実施の形態）
図２６は、本発明の第６の実施の形態に係るナップウォーマー７００をウエットティッシュ群収容部である例えば、ウエットティッシュ詰替容器（大）８００に装着した状態を示す概略斜視図である。また、図２７は、ウエットティッシュ詰替容器（大）８００を装着しない状態のナップウォーマー７００を示す概略斜視図である。
図２８（ａ）は、ウエットティッシュ詰替容器（大）を示す概略斜視図であり、図２８（ｂ）は、ウエットティッシュ群収容部である例えば、ウエットティッシュ詰替容器（小）９００を示す概略斜視図である。
【０１０７】
図２８（ａ）及び（ｂ）に示すウエットティッシュ詰替容器（大）８００及びウエットティッシュ詰替容器（小）９００の内部には、複数の折り畳まれたウエットティッシュが収容されている。
この点、上述の第１の実施の形態の図３と同様である。但し、本実施の形態のウエットティッシュはポップアップ方式に折り畳まれていない点が第１の実施の形態と異なる。なお、ポップアップ方式に折り畳まれているウエットティッシュを使用することも可能である。
その他は、第１の実施の形態のウエットティッシュＷ１乃至Ｗ４と同様の構成である。
【０１０８】
また、図２８（ａ）及び（ｂ）に示すウエットティッシュ詰替容器（大）８００及びウエットティッシュ詰替容器（小）９００は、第１の実施の形態のウエットティッシュ詰替容器２００と同様に変形可能なポリエチレンフィルムやアルミ等から成っている。
そして、ウエットティッシュ詰替容器（大）８００及びウエットティッシュ詰替容器（小）８００の上面である開口部形成面８０１、９０１には、ウエットティッシュ詰替容器２００と同様に、ウエットティッシュ取り出し用開口部８０２、９０２が形成されている。また、これらウエットティッシュ取り出し用開口部８０２、９０２の上には、第１の実施の形態と同様に、詰替容器蓋２０２が配置されている。
【０１０９】
さらに、ウエットティッシュ詰替容器（大）８００は、例えば、図の長手方向（矢印Ｙ）が２０５ｍｍ、短手方向（矢印Ｘ）が１３０ｍｍ、高さ方向（矢印Ｈ）が５０ｍｍと成っている。
また、ウエットティッシュ詰替容器（小）９００は、例えば、Ｙ１が１４５ｍｍ、Ｘ１が１３５ｍｍ、Ｈ２が５０ｍｍと成っている。
このようにウエットティッシュは、使用対象等に伴い、各種大きさの詰替容器に収容されている。
【０１１０】
また、図２６及び図２７に示すようにナップウォーマー７００には、ウエットティッシュ加温器本体である例えば、ナップウォーマー本体７１０を有している。
このナップウォーマー本体７１０の裏面には、図２７に示すように熱伝導性の良い下面筐体部である例えば、下面筐体７１４が形成され、この下面筐体７１４に対してウエットティッシュ詰替容器（大）８００及びウエットティッシュ詰替容器（小）９００の開口部形成面８０１、９０１が配置され当接される構成となっている。
【０１１１】
この下面筐体７１４のウエットティッシュ詰替容器（大）８００等に対向する面には、図２７に示すように一方向に長い長手部側７１４ａと、この長手部側７１４ａより短い短手部側７１４ｂとを有している。すなわち、下面筐体７１４は略長方形となっている。
また、この下面筐体７１４の中央部には、図２８（ａ）（ｂ）のウエットティッシュ詰替容器（大）８００等の取り出し用開口部８０２等に対応して形成される貫通孔が形成されて取出口、例えばウエットティッシュ取出口７０１とされている。
【０１１２】
図２９はナップウォーマー７００の概略断面図である。
図２９に示すように、下面筐体７１４には発熱部である例えば、ヒータ部７１１が接続され、このヒータ部７１１により下面筐体７１４を加温する構成となっている。
このヒータ部７１１は、第１の実施の形態のヒータ１１１等と同様な構成となっている。
【０１１３】
また、ナップウォーマー７００は、図２７及び図２９に示すように、ウエットティッシュ詰替容器（大）８００等を保持して、下面筐体７１４に当接させるためのバンド部である例えば、バンド本体７４２を有している。
そして、図２７及び図２９に示すように、短手部側７１４ｂのナップウォーマー本体７１０にバンド本体７４２の一端部側７４２ａが固定されている。
また、バンド本体７４２の他端部側（図２９の右側）には、図２９に示すように、バンド本体７４２の長さを調節できる長さ調節手段である例えば、バンドストッパ１１０ｂ及びバンドフック１１０ａが設けられている。
このバンドストッパ１１０ｂ及びバンドフック１１０ａの機能は第１の実施の形態と同様である。
この長さ調整手段は、この他にも、バンドフック１１０ａに一方向に進みやすいよう角部を設けたものとしてもよく、バンドフック１１０ａの位置が変位するよう構成しても良い。
【０１１４】
なお、このバンド本体７４２の前記他端部側には、図２９に示すように操作用リング７４１が形成され、使用者が操作用リング７４１を把持して操作することでバンド本体７４２の長さを調節することができる構成となっている。
【０１１５】
また、図２７に示すように、下部筐体７１４の短手部側７１４ｂにおけるバンド本体７４２の幅Ｚが、短手部側７１４ｂにおけるナップウォーマー本体７１０の幅Ｔに対して５０％乃至１００％とされている。
【０１１６】
このようにバンド本体７４２の一端部側７４２ａが固定され、他端部側のバンドストッパ１１０ｂ及びバンドフック１１０ａが設けられており、バンド本体７４２の幅が大きく形成されているので、ウエットティッシュ詰替容器に大小があっても、その大きさにかかわらずバンド本体７４２でウエットティッシュ詰替容器をしっかり保持することができる。
すなわち、図２９に示すようにウエットティッシュ詰替容器（大）８００をバンド本体７４２でしっかり保持することができる。また、図３０はナップウォーマー７００をウエットティッシュ詰替容器（小）９００に装着した状態を示す概略断面図である。
図３０に示すようにウエットティッシュ詰替容器が、図２７の長手部側７１４ａ方向において短いウエットティッシュ詰替容器（小）９００でもバンド本体７４２によってしっかり保持することができる。
【０１１７】
また、ウエットティッシュ詰替容器の大小によって、図２７の長手部側７１４ａ方向において長さに長短が生じる場合、ウエットティッシュ詰替容器（小）９００ではナップウォーマー本体７１０の下面筐体７１４の全面を覆うことができず、使用者が下面筐体７１４に接触する危険性がある。
すなわち、図３１は図３０の底面側よりバンド本体７４２、ウエットティッシュ詰替容器（小）９００及びヒータ部７１１の位置関係を示した概略図である。図３０に示すように、下面筐体７１４を介して加熱しているヒータ部７１１の表面（実線で囲んでいる部分）に対してウエットティッシュ詰替容器（小）９００を配置（２点鎖線で囲んでいる部分）しても、ウエットティッシュ詰替容器（小）９００が小さいため、ヒータ部７１１がウエットティッシュ詰替容器（小）９００によって覆われない部分が生じる。
【０１１８】
特に、図３１の右側の斜線部分は広い範囲でヒータ部７１１が内側に配置された下面筐体７１４が露出するので、使用者が誤って接触するおそれがある部分である。
しかし、図３１に示すようにバンド本体７４２（破線で囲んでいる部分）がこの露出した下面筐体７１４の部分（斜線部分）を覆うので、使用者は加温された下面筐体７１４に直接、触れることはなく、バンド本体７４２を介して触れるので、危険を大幅に少なくすることができる。
より具体的には、図３０に示すようになる。すなわち、図３０の矢印Ｕが使用者が上方向から指を配置する部分であり、矢印Ｄが使用者が下方向から指を配置する部分である。
このとき、バンド本体７４２が指で押されて、図３０の破線に位置まで曲がり、矢印Ｄ’の位置に使用者の指が配置され、ナップウォーマー７００を使用者が保持することになる。
この際、図３１のように、使用者の指はバンド本体７４２を介してヒータ部７１１が内側に配置された下面筐体７１４を持つことになるので使用者にとって安全性が確保されることになる。
【０１１９】
また、このバンド本体７４２の幅（図において矢印Ｚ）は、図３１のナップウォーマー本体７１０の短手部側（図において左右の端部）の幅（図において矢印Ｔ）に対して５０％乃至１００％とされていれば、バンド本体７４２の幅を広く構成することができるので、バンド本体７４２により、下面筐体７１４を覆う面積が増加し、より安全に使用者がナップウォーマー７００を使用することができる。
また、このように幅を広くすることで、バンド本体７４２は、ウエットティッシュ詰替容器（大）８００等をより安定的に保持することもできる。
【０１２０】
ところで、図２６及び図２９に示すようにナップウォーマー本体７１０には、ウエットティッシュ取出口７０１を覆うために配置されるウエットティッシュ加温器蓋部である例えば、ナップウォーマー蓋部７２０が設けられている。
ナップウォーマー蓋部７２０の図２６における基部７２１側には、図示しない樹脂、バネ等の弾性部材が配置され、ナップウォーマー蓋部７２０の開方向に付勢されている。
一方、ナップウォーマー蓋部７２０の先端部７２２側と、ナップウォーマー本体７１０とに係合爪等の係止手段が相互に配置され、係合爪等が相互に係合することで、ナップウォーマー蓋部７２０がナップウォーマー本体７１０に係止される構成となっている。
【０１２１】
また、図２６に示すように、ナップウォーマー本体７１０には、前記係止手段の係合等を解除するための解除片７１２が形成されている。
したがって、この解除片７１２を使用者が操作することで、ナップウォーマー蓋部７２０のナップウォーマー本体７１０に対する係合が解除され、弾性部材の付勢力によってナップウォーマー蓋部７２０が開状態に成る構成となっている。このため、使用者は解除片７１２を操作するだけでナップウォーマー蓋部７２０を開けることができるので操作性に優れたナップウォーマー７００となる。
また、本実施の形態では、ナップウォーマー本体７１０に対して通常より大きい解除片７１２を形成しているので、使用者がより操作しやすい大きさとなっている。
【０１２２】
また、図２９に示すように、ナップウォーマー蓋部７２０には、ウエットティッシュ取出口７０１内に入り込むように凸状の突起部７２３が形成されている。このため、ナップウォーマー蓋部７２０を閉状態にするとウエットティッシュ取出口７０１を塞ぐ構成となっている。
したがって、ウエットティッシュ詰替容器（大）８００等を図２９に示すように装着した場合、ウエットティッシュ詰替容器（大）８００等の取り出し用開口部８０２等とナップウォーマー蓋部７２０の突起部７２３とが接触等する構成になると共に、この突起部７２３で取出口７０１は、ほぼ塞がれることになる。
これにより、ウエットティッシュ詰替容器（大）８００等内のウエットティッシュＷ、特に最上部に位置するウエットティッシュＷが、取出口７０１内の雰囲気により乾燥等するのを未然に防止することができる。
そして、突起部７２３で取出口７０１を塞ぐことによりウエットティッシュＷの水分が水滴として取出口７０１等に付着し難くなるので雑菌の発生を未然に防ぐことができ、衛生上、好ましいナップウォーマー７００となる。
【０１２３】
また、図２９に示すように、突起部７２３は、上部が塞がれており、その内部は中空になっている。
このため、この内部に空気が収容されていることで空気による断熱層が形成されることになり、ウエットティッシュ詰替容器（大）８００等内のウエットティッシュＷ、特に最上部に位置するウエットティッシュＷの熱が外部に放出し難くなる。
したがって、加温が不十分のウエットティッシュＷを使用者が引き出して使うことを未然に防ぐことができる。
【０１２４】
ところで、図２７に示すようにバンド本体７４２が帯状を成し、このバンド本体７４２の中央部には、図２７に示すように、ウエットティッシュ詰替容器（大）８００等の底面側を保持する底面保持手段である例えば、ナップウォーマー下板部７３０が移動可能に取り付けられている。
したがって、このナップウォーマー下板部７３０のバンド本体７４２に対する相対位置を移動させることで、ウエットティッシュ詰替容器（大）８００等の大きさに合わせてナップウォーマー下板部７３０を動かし、当該ウエットティッシュ詰替容器（大）８００等に最適に配置することができる。
このためウエットティッシュ詰替容器（大）８００等を図２９の下面筐体７１４にむらなく押しつつけることができるので、効果的にウエットティッシュＷを加温することができる。
【０１２５】
また、ナップウォーマー下板部７３０の図２７の長手部側７１４ａに対応する部分の長さ、すなわち、図２７及び図２９の矢印Ｑで示す長手方向の長さが、下面筐体７１４の長手部側７１４ａの長さより短く形成されている。
このため、図３０のウエットティッシュ詰替容器（小）９００のように長さＱに対応する部分が、ウエットティッシュ詰替容器（大）８００に比べ短い場合でも、ナップウォーマー下板部７３０をウエットティッシュ詰替容器（小）９００に対して配置し易い構成となっている。
【０１２６】
図３２は、ナップウォーマー下板部７３０の概略平面図であり、図３３はナップウォーマー下板部７３０のＰ−Ｐ’線概略断面図である。
図２９及び図３３に示すように、ナップウォーマー下板部７３０の中央部にウエットティッシュ詰替容器（大）８００等に向かって突出する中央突出部が形成されている。
これは、図２９に示すようにバンド本体７４２を操作用リング７４１を引いて締めるとナップウォーマー下板部７３０の中央部には、図３３の矢印Ｏで示すようにウエットティッシュ詰替容器（大）８００等から離間する方向、すなわち、図において下方向に反る力が働くことになる。
【０１２７】
この中央部に対応するウエットティッシュ詰替容器（大）８００等の上部には取り出し用開口部８０１等が配置され、この取り出し用開口部８０１等にはナップウォーマー本体７１０の取出口７０１が配置され、この取出口７０１には下面筐体７１４が配置されていない。このため最も加温され難い部分となる。
すなわち、ナップウォーマー下板部７３０の中央部の上方には、最も加温されにくい部分が位置するにもかかわらず、ナップウォーマー下板部７３０は、この部分を下面筐体７１４側から離間する方向に反ることになり、より加温されにくい構成となってしまう。
これでは、ウエットティッシュ詰替容器（大）８００等内のウエットティッシュＷの加温がより不十分となるおそれがある。
【０１２８】
そこで、本実施の形態では、ナップウォーマー下板部７３０の中央部を下面筐体７１４側に突出させることで、突出による押し付けと共に、変形させられたナップウォーマー下板部７３０の反発力を利用して、ウエットティッシュ詰替容器（大）８００等の取り出し用開口部８０２等をより下面筐体７１４側に押し付ける構成となっている。
これにより、加温されにくい取り出し用開口部８０２等がより下面筐体７１４に近づき、ウエットティッシュ詰替容器（大）８００等内のウエットティッシュＷが加温されやすい構成とすることができる。
【０１２９】
また、図２６に示すように、ナップウォーマー本体７１０には、スイッチ７１５を取り付けるための凹部７１３が形成されている。
この凹部７１３内にスイッチ７１５が配置されるのでナップウォーマー本体７１０から外側にスイッチ７１５が突出することがない。
このため、使用者が誤ってナップウォーマー７００を落下等させた場合でも、スイッチ７１５が直接、床等に衝突等することがないので、スイッチ７１５の破損を有効に防止することができる。
【０１３０】
本発明は、上述の各実施の形態に限定されない。例えば図８の蓋側凸部の先端部１２１ａの少なくとも外周に中空のシリコンチューブや発泡等の柔軟なパッキンを配置し、更に乾燥を防ぐように構成してもよい。
同様に、図４（ａ）及び図９の微小空間ｄに位置するようウエットティッシュ用貫通孔１１８の傾斜面１１８ｂやナップウォーマー蓋部１２０の蓋側傾斜面１２１ｂの一部に周状にパッキンを配置してもよい。
【０１３１】
また、ナップウォーマー本体１１０、７１０等に対して、バンド本体１４２、７４２等の一方を固定して、バンド本体７４２等の他方をナップウォーマー本体７１０に着脱可能に構成し、バンド本体７４２の他方の端部において、バンドの長さを調整できるよう構成する例えばバックル等としてもよい。
つまり、バンド本体７４２等の他方の端部に係合部材のオス部材を設け、対応するナップウォーマー本体７１０等にメス部材を設けて、バンド本体７４２等の他方側でナップウォーマー本体７１０と着脱可能に構成し、バンド本体端部のオス部材とバンド本体の連結部にバンド長さ調整部である例えばバックルを設ける構造とすることで、ウエットティッシュ詰替容器７００等の着脱操作を容易とすると共に、ウエットティッシュＷの使用に対応して長さを調整できるよう構成することができる。
さらに、上述の各実施の形態は、相互に組み合わせて構成するようにしてもよい。
【０１３２】
【発明の効果】
以上述べたように、本発明によれば、ウエットティッシュ群収容部内のウエットティッシュの量に拘わらず、使用にかかるウエットティッシュを確実に適温まで加温できるウエットティッシュ加温器を提供することができる。
【図面の簡単な説明】
【図１】本発明の実施の形態に係るウエットティッシュ加温器である例えばナップウォーマーの構成を示す概略斜視図である。
【図２】ウエットティッシュ群収容部であるウエットティッシュ詰替容器の構成を示す概略斜視図である。
【図３】図２の詰替容器の内部構成を示す概略断面図である。
【図４】（ａ）は図１のナップウォーマー本体及びウエットティッシュ加温器蓋部であるナップウォーマー蓋部の構造を示す概略断面図である。（ｂ）は、（ａ）のＫ部の拡大概略断面図である。
【図５】図４（ａ）のヒータ等の構成を示した概略図である。
【図６】図４（ａ）のヒータの電気的構成を示す概略回路図である。
【図７】図４（ａ）のナップウォーマー本体の概略平面図である。
【図８】ナップウォーマー蓋部の構成等を示す概略斜視図である。
【図９】図４（ａ）の矢印Ｄの部分の概略拡大図である。
【図１０】図４（ａ）の矢印Ｊの部分の概略拡大図である。
【図１１】ナップウォーマー蓋部に形成された係合凸部を示した概略図である。
【図１２】（ａ）は、図１４で示すナップウォーマー蓋部とナップウォーマー本体のＦ−Ｆ’線の概略断面図である。（ｂ）は、（ａ）のＬ部の拡大概略断面図である。
【図１３】図１２のＨで示した部分の概略拡大図である。
【図１４】ナップウォーマーにウエットティッシュ詰替容器を装着した状態を示す概略斜視図である。
【図１５】図１４のＦ−Ｆ’線の概略断面図である。
【図１６】バンドストッパの構成を示した概略斜視図である。
【図１７】図１５のナップウォーマー下板部の構成を示す概略斜視図である。
【図１８】ウエットティッシュ詰替容器のウエットティッシュが残り少なくなった状態を示す概略斜視図である。
【図１９】第２の実施の形態に係るナップウォーマーの要部を示す概略図である。
【図２０】第３の実施の形態に係るナップウォーマーを示す概略図である。
【図２１】図２０のナップウォーマーがウエットティッシュ詰替容器を保持した状態を示す概略断面図である。
【図２２】第４の実施の形態に係るナップウォーマーを示す概略斜視図である。
【図２３】蓄熱剤を示す概略斜視図である。
【図２４】第５の実施の形態に係るナップウォーマーを示す概略斜視図である。
【図２５】ナップウォーマーの使用状態を示す概略斜視図である。
【図２６】本発明の第６の実施の形態に係るナップウォーマーをウエットティッシュ詰替容器（大）に装着した状態を示す概略斜視図である。
【図２７】ウエットティッシュ詰替容器（大）を装着しない状態のナップウォーマーを示す概略斜視図である。
【図２８】（ａ）は、ウエットティッシュ詰替容器（大）を示す概略斜視図であり、（ｂ）は、ウエットティッシュ詰替容器（小）を示す概略斜視図である。
【図２９】ナップウォーマーの概略断面図である。
【図３０】ナップウォーマーをウエットティッシュ詰替容器（小）に装着した状態を示す概略断面図である。
【図３１】図３０の底面側よりバンド本体、ウエットティッシュ詰替容器（小）及び下面筐体の位置関係を示した概略図である。
【図３２】ナップウォーマー下板部の概略平面図である。
【図３３】ナップウォーマー下板部のＰ−Ｐ’線概略断面図である。
【符号の説明】
１００、４００、５００、６００、７００・・・ナップウォーマー、１１０、３１０・・・ナップウォーマー本体、１１０ａ、３１０ａ・・・バンドフック、１１０ｂ・・・バンドストッパ、１１０ｃ・・・裾部、１１０ｄ・・・溝部、１１０ｅ・・・通電ランプ、１１０ｆ・・・天面、１１１・・・ヒータ、１１２・・・スペーサ、１１３・・・アルミプレート、１１４、７１４・・・下面筐体、１１５・・・断熱材、１１６・・・電源プラグ、１１７・・・温度ヒューズ、１１８・・・ウエットティッシュ用貫通孔、１１８ａ・・・開口部、１１８ｂ・・・傾斜面、１１９・・・本体側係止片、１２０、７２０・・・ナップウォーマー蓋部、１２１・・・蓋側凸部、１２１ａ・・・先端部、１２１ｂ・・・蓋側傾斜面、１２２・・・蓋側凹部、１２３ａ、１２３ｂ・・・係合凸部、１２４・・・蓋側係止片、１２５・・・外形リブ、１２６・・・密閉リブ、１３０、７３０・・・ナップウォーマー下板部、１３１・・・縦リブ、１３２・・・横リブ、１３３・・・中央リブ、１４０、５４０、６４０・・・連結バンド部、１４１、５４１・・・操作用リング、１４２・・・バンド本体、１４２ａ・・・バンド本体左側、１４２ｂ・・・バンド本体底側、１４２ｃ・・・バンド本体右側、１５０・・・開放ボタン、２００・・・ウエットティッシュ詰替容器、２０１・・・容器体、２０１ａ・・・開口部形成面、２０２・・・詰替容器蓋、２０２ａ・・・突片、２１０・・・取り出し用開口部、３１０ａ・・・開口、３１０ｃ・・・固定部、３１０ｄ・・・自由端部、３１０ｅ・・・逆止用凸部、４４１・・・第２の操作用リング、５４２ａ・・・第１のバンド本体、５４２ｂ・・・第２のバンド本体、５１１・・・蓄熱剤、６３０・・・詰替容器収容部、６４０・・・把持部、６４１・・・バンド長さ調節治具、７０１・・・ウエットティッシュ取出口、７１０・・・ナップウォーマー本体、７１１・・・ヒータ部、７１２・・・解除片、７１３・・・凹部、７１４ａ・・・長手部側、７１４ｂ・・・短手部側、７１５・・・スイッチ、７２１・・・基部、７２２・・・先端部、７２３・・・突起部、７４１・・・操作用リング、７４２・・・バンド本体、７４２ａ・・・一端部側、８００・・・ウエットティッシュ詰替容器（大）、８０１・・・開口部形成面、８０２・・・取り出し用開口部、９００・・・ウエットティッシュ詰替容器（小）、９０１・・・開口部形成面、９０２・・・取り出し用開口部。
【図１】
2004130066.tif 000003
【図２】
2004130066.tif 000004
【図３】
2004130066.tif 000005
【図４】
2004130066.tif 000006
【図５】
2004130066.tif 000007
【図６】
2004130066.tif 000008
【図７】
2004130066.tif 000009
【図８】
2004130066.tif 000010
【図９】
2004130066.tif 000011
【図１０】
2004130066.tif 000012
【図１１】
2004130066.tif 000013
【図１２】
2004130066.tif 000014
【図１３】
2004130066.tif 000015
【図１４】
2004130066.tif 000016
【図１５】
2004130066.tif 000017
【図１６】
2004130066.tif 000018
【図１７】
2004130066.tif 000019
【図１８】
2004130066.tif 000020
【図１９】
2004130066.tif 000021
【図２０】
2004130066.tif 000022
【図２１】
2004130066.tif 000023
【図２２】
2004130066.tif 000024
【図２３】
2004130066.tif 000025
【図２４】
2004130066.tif 000026
【図２５】
2004130066.tif 000027
【図２６】
2004130066.tif 000028
【図２７】
2004130066.tif 000029
【図２８】
2004130066.tif 000030
【図２９】
2004130066.tif 000031
【図３０】
2004130066.tif 000032
【図３１】
2004130066.tif 000033
【図３２】
2004130066.tif 000034
【図３３】
2004130066.tif 000035